(57)【特許請求の範囲】
【請求項１】
商品陳列棚の前面に取付けられ、内部にサンプリング材を封入したサンプリングボトルをホルダー本体によって保持するサンプルホルダーであって、
前記ホルダー本体は、対向する湾曲状の両挟持片間に前記サンプリングボトルを挟持状態に保持する挟持部を有し、
前記ホルダー本体の後部に、前記商品陳列棚に係止する係止機構を設け、
前記係止機構は、前記ホルダー本体の後部に一体に設けられて、前記商品陳列棚の前端から立ち上がった商品落下防止枠に上方から係止する枠用係止部と、該枠用係止部の後部に一体に設けられて、前記商品陳列棚の前端に設けられた上下一対のカードレールに係止するレール用係止部とを備えたことを特徴とするサンプルホルダー。
【請求項２】
商品陳列棚の前面に取付けられ、内部にサンプリング材を封入したサンプリングボトルをホルダー本体によって保持するサンプルホルダーであって、
前記ホルダー本体は、対向する湾曲状の両挟持片間に前記サンプリングボトルを挟持状態に保持する挟持部を有し、
前記ホルダー本体は、前記挟持部の下方位置に、前記サンプリングボトルの底部を支持する底支持片を有し、
前記ホルダー本体の後部に、前記商品陳列棚に係止する係止機構を設け、
前記係止機構は、前記ホルダー本体の後部に一体に設けられて、前記商品陳列棚の前端から立ち上がった商品落下防止枠に上方から係止する枠用係止部と、該枠用係止部の後部に一体に設けられて、前記商品陳列棚の前端に設けられた上下一対のカードレールに係止するレール用係止部とを備えたことを特徴とするサンプルホルダー。
【発明の詳細な説明】
【０００１】
【発明の属する技術分野】
本発明は、例えば液体の芳香剤などが封入された小さなサンプリングボトルを店内の商品陳列棚の前面にディスプレーする際に、該商品陳列棚の前端部に取付けられてサンプリングボトルを保持するサンプルホルダーに関する。
【０００２】
【従来の技術】
周知のように、一般の雑貨店などで販売される例えば液体の芳香剤などは、そのサンプルとして芳香剤を封入した小さなサンプリングボトルが商品陳列棚の前面に配置されており、このサンプルリングボトルを保持する従来のサンプルホルダーとしては、例えば図８、図９に記載されたものが知られている。
【０００３】
概略を説明すれば、このサンプルホルダー１は、サンプリングボトルＢを保持するホルダー本体２と、該ホルダー本体２の後部に一体に設けられて商品陳列棚に取付けるための係止部材３とから構成されている。
【０００４】
前記ホルダー本体２は、薄板状の紙によってほぼ三角形状に折曲形成され、垂直に立ち上がった基部片４の下端縁に、底部片５が前方へほぼ水平に突設されている共に、前記基部片５の上端縁と底部片５の先端縁との間に傾斜状の保持片６が設けられている。また、前記保持片６のほぼ中央位置には、サンプリングボトルＢを挿入保持する保持孔７が穿設されており、この保持孔７の内径は、サンプリングボトルＢの外径よりも十分に大きく設定されている。
【０００５】
前記係止部材３は、ほぼ逆Ｕ字形状に折曲形成されて、商品陳列棚８の前端部に立設された商品落下防止枠９に上方から係止してホルダー本体２を商品陳列棚８の前面に配置するようになっている。その後、前記保持孔７の上方からサンプリングボトルＢを挿入して底部片５状に載置保持するようになっている。
【０００６】
したがって、芳香剤を購入する際に、予め香りをチェックしようする客は、前記保持孔７から上方に飛び出ているサンプリングボトルＢの上端部を持って上方へ引き上げることによって取り出し、香りをチェックした後に、上方から保持孔７内に挿入して戻すようになっている。
【０００７】
【発明が解決しようとする課題】
しかしながら、前記従来のサンプルホルダー１にあっては、保持孔７から入れられたサンプリングボトルＢを、単に底部片５の上面に載置しているだけであるため、該サンプリングボトルＢの保持が極めて不安定となり、戻し方によっては斜めに倒れた状態となったり、あるいは保持孔７の前方へ倒れて落下してしまうおそれがある。特に、サンプリングボトルＢの取り出しや戻し作業を容易にするために、保持孔７の内径をサンプリングボトルＢの外径よりもかなり大きく設定しているので、前述した保持の不安定化は免れない。
【０００８】
しかも、ホルダー本体２からのサンプリングボトルＢの取り出しや戻し作業を、前記保持孔７を利用して行うようにしているため、サンプリングボトルＢの取り出しや戻し作業を必ず保持孔７の上下方向だけからしか行うことができず、かかる作業の自由度が自ずと制約されしまい、不便性を招いている。
【０００９】
さらに、商品陳列棚８への取付けは、単に係止部材３を利用して商品落下防止枠９に係止しているにすぎないため、取付け態様の自由度も制約されており、例えばこの商品落下防止枠９がない棚にはサンプルホルダー１を取り付けることができないことになる。
【００１０】
本発明は、前記従来のサンプルホルダー１の技術的課題に鑑みて案出されたもので、サンプリングボトルの保持の安定化と取り出し作業などの自由度の向上及び取り付けの自由度を向上し得るサンプルホルダーを提供することを目的としている。
【００１１】
【課題を解決するための手段】
請求項１に記載の発明は、商品陳列棚の前面に取付けられ、内部にサンプリング材を封入したサンプリングボトルをホルダー本体によって保持するサンプルホルダーであって、前記ホルダー本体は、対向する湾曲状の両挟持片間に前記サンプリングボトルを挟持状態に保持する挟持部を有し、前記ホルダー本体の後部に、前記商品陳列棚に係止する係止機構を設け、前記係止機構は、前記ホルダー本体の後部に一体に設けられて、前記商品陳列棚の前端から立ち上がった商品落下防止枠に上方から係止する枠用係止部と、該枠用係止部の後部に一体に設けられて、前記商品陳列棚の前端に設けられた上下一対のカードレールに係止するレール用係止部とを備えたことを特徴としている。
【００１２】
請求項２に記載の発明にあっては、商品陳列棚の前面に取付けられ、内部にサンプリング材を封入したサンプリングボトルをホルダー本体によって保持するサンプルホルダーであって、前記ホルダー本体は、対向する湾曲状の両挟持片間に前記サンプリングボトルを挟持状態に保持する挟持部を有し、前記ホルダー本体は、前記挟持部の下方位置に、前記サンプリングボトルの底部を支持する底支持片を有し、前記ホルダー本体の後部に、前記商品陳列棚に係止する係止機構を設け、前記係止機構は、前記ホルダー本体の後部に一体に設けられて、前記商品陳列棚の前端から立ち上がった商品落下防止枠に上方から係止する枠用係止部と、該枠用係止部の後部に一体に設けられて、前記商品陳列棚の前端に設けられた上下一対のカードレールに係止するレール用係止部とを備えたことを特徴としている。
【００１８】
【発明の実施の形態】
以下、本発明に係るサンプルホルダーの一実施形態を図面に基づいて説明する。
【００１９】
すなわち、このサンプルホルダー１１は、図１〜図５に示すように、サンプリングボトルＢを保持するホルダー本体１２と、該ホルダー本体１２の後部に一体に設けられて、該ホルダー本体１２を商品陳列棚８の前面に取り付ける係止機構１３とから構成され、全体がジュラコン（登録商標）樹脂材で一体に形成されている。前記商品陳列棚８は、前端上部に商品落下防止枠９が固定されていると共に、前端面には前面上下一対のカードレール１０ａ，１０ｂが平行に設けられている。
【００２０】
前記ホルダー本体１２は、ほぼ垂直方向に沿って形成されたプレート状の基部１４と、該基部１４の上端部前面に設けられたほぼ半円筒状の挟持部１５と、基部１４の下端縁から前方へ水平に突出した板状の底支持片１６とから構成されている。
【００２１】
前記基部１４は、商品陳列棚８の前面に配置され、所定の幅を有する上下方向に長い長方形状に形成されていると共に、上端には商品名やメーカー名などを表示する横長のラベル表示部１７が一体に設けられている。
【００２２】
前記挟持部１５は、基部１４の上端部に一体に設けられた中央部１５ａの両側から前方へ突出した両挟持片１５ｂ，１５ｃが互いに内方へ湾曲状に折曲されて、抱腕状態に形成されている。また、この両挟持片１５b,１５cは、両者間の内径ｄがサンプリングボトルＢの外径Ｄよりも僅かに小さく設定されている。
【００２３】
前記底支持片１６は、基部１４の幅と同一の幅に設定されていると共に、前端縁１６ａがサンプリングボトルＢの底面形状とほぼ同一の円弧形状に形成されている。
【００２４】
前記係止機構１３は、基部１４の後面上端部からほぼ逆Ｌ字形状に折曲形成されて、前記商品落下防止枠９に上方から係止する枠用係止部１８を有していると共に、該枠用係止部１８の後部に設けられたレール用係止部１９とを有している。このレール用係止部１９は、枠用係止部１８の上端からほぼ水平方向に延設された支持片２０の後端に設けられた第１係止突部１９ａと、枠用係止部１８の下端に設けられた第２係止突部１９ｂとから構成されており、第１係止突部１９ａが上側のカードレール１０ａに内側下方から係止する一方、第２係止突部１９ｂが下側のカードレール１０ｂに内側上方から係止するようになっている。なお、前記支持片２０は、基部１４の幅と同一の幅に設定されて、ほぼ矩形状に形成されている。
【００２５】
したがって、このサンプルホルダー１１を商品陳列棚８に対して取り付ける方法としては、図６及び図７に示すように２つの態様があり、まず、商品落下防止枠９に基部１４と前記枠用係止部１８との間の係止溝１８ａを前記商品落下防止枠９の上方から係入させて下方へ押し込むことにより係止させる態様(図６参照)と、前記第１係止突部１９ａと第２係止突部１９ｂとを互いに支持片２０の上下方向の弾性変形を得て、対応する各カードレール１０ａ，１０ｂにそれぞれ係止させる態様(図７参照)がある。
【００２６】
そして、前記商品陳列棚８に取付けられたサンプルホルダー１１にサンプリングボトルＢを保持させるには、まず、該サンプリングボトルＢを持って、例えばホルダー本体１２の正面横方向から両挟持片１５ｂ，１５ｃの両先端間の開口を介して内部に押し込めば、該両挟持片１５ｂ，１５ｃの弾性反力によってサンプリングボトルＢの外面が抱持状態に挟圧保持されると共に、垂直姿勢で保持されることになる。また、同時にサンプリングボトルＢは、その底部が底支持片１６の上面に載置支持される。
【００２７】
一方、サンプリングボトルＢをホルダー本体１４から取り出すには、前記両挟持片１５ａ，１５ｂに挟持されているサンプリングボトルＢの上部を持ち、前記両者１５ｂ，１５ｃの弾性反力に抗して手前に引き出せば簡単に取り出すことができる。
【００２８】
このように、サンプリングボトルＢを両挟持片１５ｂ，１５ｃの弾性反力によって挟圧支持するようにしたため、ホルダー本体１２に安定かつ確実に保持させることが可能になり、従来のようにホルダー本体内で傾いたり、不用意に落下するのを十分に防止できる。
【００２９】
しかも、サンプリングボトルＢを、前述のように、両挟持片１５ｂ，１５ｃによって挟持するようにしたため、該サンプリングボトルＢをホルダー本体１２の正面からばかりか、垂直方向や斜め上方あるいは下方向の多方向から戻したり取り外すことができる。したがって、利用者にとっては極めて利便性の高い実用性に富むものである。
【００３０】
また、商品陳列棚８に対するサンプルホルダー１１の取付けも前記２つの態様によって行うことができるため、取り付けの自由度が向上すると共に、たとえ商品落下防止枠９が存在しないものにもレール用係止部１９を利用して取付けることができるので、利便性が一層高いものである。
【００３１】
また、サンプルホルダー１１全体を、ジュラコン樹脂により形成したため、強度が確保されて、耐久性の向上が図れると共に、表面が滑らかになることから、ホルダー本体１２からのサンプリングボトルＢの取り出しや戻し作業がさらに容易になる。
【００３２】
本発明は、前記実施形態の構成に限定されるものではなく、例えばホルダー本体１２の形状や大きさを、サンプリングボトルＢの形状や大きさやに応じて任意に変更することが可能であると共に、係止機構１３の構造も商品陳列棚８の前端部の形成される被係止体の構造に合わせて自由に変更することが可能である。また、サンプル剤として前記芳香剤や液体に限られるものではない。
【００３３】
【発明の効果】
以上の説明で明らかなように、本発明によれば、対向する湾曲状の両挟持片間に、前記サンプリングボトルを挟持状態に保持する挟持部を有しているため、サンプリングボトルを安定かつ確実に保持することが可能になり、従来例のようなサンプリングボトルの倒れや不用意な落下などを回避できる。
【００３４】
しかも、ホルダー本体に対するサンプリングボトルの取付けや戻し作業を、従来のように上方からばかりでなく多方向から行うことができるため、利便性が高くなる。
また、取付けの自由度が大幅に向上すると共に、たとえ商品落下防止枠が存在しなくても、レール係止部によって取付けることができるため、この点でも高い利便性が得られる。
【００３５】
請求項２に記載の発明によれば、更にサンプリングボトルを両挟持片の他に底支持片によっても支持できるため、保持のより安定化と確実性が得られる。
【図面の簡単な説明】
【図１】本発明に係るサンプルホルダー実施形態を示す斜視図。
【図２】同サンプルホルダーの正面図。
【図３】同サンプルホルダーの平面図。
【図４】同サンプルホルダーの側面図。
【図５】同サンプルホルダーの背面図。
【図６】同サンプルホルダーの一つの取付け態様を示す側面図。
【図７】同サンプルホルダーの他の取付け態様を示す側面図。
【図８】従来のサンプルホルダーを示す斜視図。
【図９】同従来のサンプルホルダーの側面図。
【符号の説明】
１１    サンプルホルダー
１２    ホルダー本体
１３    係止機構
１４    基部
１５    挟持部
１５ｂ，１５ｃ    両挟持片
１６    底支持片
１８    枠用係止部
１９    レール用係止部
【図１】
0004580076.tif 000002
【図２】
0004580076.tif 000003
【図３】
0004580076.tif 000004
【図４】
0004580076.tif 000005
【図５】
0004580076.tif 000006
【図６】
0004580076.tif 000007
【図７】
0004580076.tif 000008
【図８】
0004580076.tif 000009
【図９】
0004580076.tif 000010